(57)【要約】本発明は、ワイヤレス通信システムで端末依存情報を自動的に管理するための方法に関する。該方法は、  ‐加入者が現在使用している端末の固有のアイデンティティを検出するステップと、  ‐検出された端末の型用に情報を適応させるステップと、  ‐前記端末に適応された情報を提示するステップとを含む。
2005531253.tif 000002
【特許請求の範囲】
【請求項１】
‐加入者が現在使用している端末の固有のアイデンティティを検出するステップと、
‐前記固有のアイデンティティを端末の型を含む特性に再マッピングするステップと、
‐特性に関する情報を検出された端末の型用のサービスに適応させるステップと、
‐前記端末に前記適応された情報を提示するステップと、を含むワイヤレス通信ネットワークで端末依存情報を自動的に管理するための方法。
【請求項２】
端末の型を検出する前記ステップが、信号リンクを監視し捜査することによって実行されることを特徴とする、請求項１に記載のワイヤレス通信ネットワークで端末依存情報を自動的に管理するための方法。
【請求項３】
端末の型を検出する前記ステップが、ＭＳＩＳＤＮ‐ＩＭＳＩマッピングを検出するために信号リンクを監視し捜査することによって実行されることを特徴とする、請求項１に記載のワイヤレス通信ネットワークで端末依存情報を自動的に管理するための方法。
【請求項４】
‐ＳＭＳ／ＵＳＳＤまたは会話を介してユーザがサービスを要求するステップと、
‐加入者のために、ＭＳＣとＢＳＣ／ＲＮＣとの間、またはＳＧＳＮとＢＳＣ／ＲＮＣとの間でＩＭＥＩ情報を交換するステップと、
‐信号リンクを捜査することによって、加入者に関する現在のＩＭＥＩ情報を収集するステップと、
‐アプリケーションサーバが前記要求を検出するステップと、
‐前記アプリケーションサーバがコンフィギュレーションサーバから端末の特性を要求するステップと、
‐前記コンフィギュレーションサーバが、局所的に格納された情報を読み出すかまたはＨＬＲに要求するかのいずれかによって、固有の加入者アイデンティティを発見するステップと、
‐前記コンフィギュレーションサーバが加入者のための格納されたＩＭＥＩを読み出すステップと、
‐前記コンフィギュレーションサーバがＩＭＥＩを特性に再マッピングするステップと、
‐前記コンフィギュレーションサーバが特性を前記アプリケーションサーバに返すステップと、
‐ＳＭＳまたは他の情報チャネルを介して端末依存設定を端末に送信するステップと、をさらに含むことを特徴とする、請求項１または２のいずれかに記載のワイヤレス通信ネットワークで端末依存情報を自動的に管理するための方法。
【請求項５】
‐ユーザがＳＭＳ／ＵＳＳＤまたは会話を介してサービスを要求するステップと、
‐アプリケーションサーバが前記要求を検出するステップと、
‐前記アプリケーションサーバが特性を要求するステップと、
‐コンフィギュレーションサーバが変形ＡＴＩを介してまたはＨＬＲを含む新しい操作を介してＩＭＥＩを要求するステップと、
‐ＨＬＲがＭＳＣ／ＳＧＳＮを介してＩＭＥＩを端末に要求するステップと、
‐前記コンフィギュレーションサーバがＩＭＥＩを特性に再マッピングするステップと、
‐前記コンフィギュレーションサーバが特性をアプリケーションサーバに返すステップと、
‐ＳＭＳまたは他の情報チャネルを介して端末依存設定を端末に送信するステップと、をさらに含むことを特徴とする、請求項１に記載のワイヤレス通信ネットワークで端末依存情報を自動的に管理するための方法。
【請求項６】
ＨＬＲが端末からＩＭＥＩを要求する前記ステップが、
‐ＨＬＲがＭＳＣ／ＳＧＳＮに加入者のＩＭＥＩを要求するステップと、
‐ＭＳＣ／ＳＧＳＮが端末にＢＳＣを介して加入者のＩＭＥＩを要求するステップと、の二つのステップで行われることを特徴とする、請求項５に記載のワイヤレス通信ネットワークで端末依存情報を自動的に管理するための方法。
【請求項７】
‐前記アプリケーションサーバが前記コンフィギュレーションサーバから特性を要求するステップと、
‐前記コンフィギュレーションサーバが、局所的に格納された情報を読み出すかまたはＨＬＲに照会するかのいずれかによって、固有の加入者アイデンティティを発見するステップと、
‐加入者のための格納されたＩＭＥＩを前記コンフィギュレーションサーバが読み出すステップと、
‐ＩＭＥＩ情報が局所データベースに存在しない場合、前記コンフィギュレーションサーバが連携コンフィギュレーションサーバに接触し、それによって関連する連携コンフィギュレーションサーバがＨＬＲへの要求によって決定されるステップと、
‐前記コンフィギュレーションサーバがＩＭＥＩを特性に再マッピングするステップと、
‐前記アプリケーションサーバが端末独立情報を端末依存情報に変換するステップと、
‐前記端末依存情報を端末に送達するステップと、をさらに含むことを特徴とする、請求項１に記載のワイヤレス通信ネットワークで端末依存情報を自動的に管理するための方法。
【請求項８】
前記変換ステップが前記特性の属性に基づいて行われることを特徴とする、請求項７に記載のワイヤレス通信ネットワークで端末依存情報を自動的に管理するための方法。
【請求項９】
少なくとも一つのデジタルコンピュータ（１００1、．．．、１００n）の内部メモリに直接ロードすることができる少なくとも一つのソフトウェア製品（１０２1、．．．、１０２n）であって、少なくとも一つの前記製品（１０２1、．．．、１０２n）が前記少なくとも一つの前記コンピュータ（１００1、．．．、１００n）上で実行されたときに請求項１に記載のステップを実行するためのソフトウェアモジュールを含むソフトウェア製品。
【発明の詳細な説明】
【技術分野】
【０００１】
本発明は、第一の側面では、ワイヤレス通信ネットワークにおける端末依存情報の自動管理のための方法に関する。
【０００２】
第二の側面では、本発明は、ワイヤレス通信ネットワークにおける情報の自動管理のための少なくとも一つのソフトウェア製品に関する。
【背景技術】
【０００３】
ＧＳＭおよびＵＭＴＳのようなワイヤレス通信システムで移動端末は管理される。これらの端末は、通信システムで認可されるために要求される標準を満たしているが、増加の一途をたどる機能性の部分は、全く標準化されていないか、あるいは少なくとも統一された方法では標準化されていないかのいずれかである。さらに、端末は、情報を提示する能力に関し、かつ端末に組み込まれたサービスの組に関し、様々な特性を有する。
【０００４】
サービスに関する設定の特定の部分はＳＩＭカードに格納される。オペレータは、サブスクリプションが購入される前に、これらに影響を及ぼすことが可能である。オペレータは、加入者が端末を購入する前に、端末のメモリに格納された設定に影響を及ぼすことが通常はできない（端末に特定の指定サブスクリプションがパッケージされない限り）。
【０００５】
さらに、加入者は、既存のサブスクリプションを維持しながら端末を変更する。新しい端末は以前の端末と同一能力を持たないことが可能である。
【０００６】
これらを特定の型の端末に適応するためには、現在、サービスの手動設定が一般的に必要である。
【０００７】
これは多くのユーザによって複雑なものとしてしばしば経験されており、特定のサービスがめったに、あるいは全く使用されないことの有力な要因であると思われる。これは既存の解決策の著しい不利点であることが明らかである。
【０００８】
ＧＳＭまたはＵＭＴＳのようなワイヤレス通信ネットワークにおける各移動装置は、固有のアイデンティティを有する。端末自体はこのアイデンティティを認識しており、それは主として盗難防止として使用されるように意図されている。ネットワークは、ネットワークとの通信中に、さらなる通信が許可される前に、端末からのアイデンティティを要求することができる。
【０００９】
この端末アイデンティティＩＭＥＩは、製造者に関する情報、型式番号、製造番号、および特定の場合には、ソフトウェアの現行バージョンをも含む。
【００１０】
現在、外部サービス（すなわちＢＳＣ／ＲＮＣ／ＭＳＣ／ＳＧＳＮ以外のサービス）がこのアイデンティティを要求する可能性は無い。
【発明の開示】
【００１１】
本発明の一部は、このアイデンティティを要求により外部サービスに知らせる目的を有する。本発明は、端末アイデンティティに関する情報を収集するための多数の可能な方法を記載する。
【００１２】
セキュリティ上の理由から、どの固有の端末が使用されているかに関する厳密な情報を暴露することは望ましくなく、したがって例えば型式番号のような特性の形の一般的情報が生成されることが可能である。オペレータは、セキュリティをさらに高めるために、一般的部分サービスだけを公開することを選択できる。これは、加入者の現行端末が決してオペレータのドメインから離れないことを意味する。
【００１３】
端末のアイデンティティを様々な型式の特性に関して事前に入手可能な情報と相関させることにより、本発明の助けを借りて、関連端末用に情報を自動的に適応させることができるサービスに、特性に関する情報を提示することが可能である。
【００１４】
本発明の意図は、上記の問題を解決することである。これは、第一態様では、請求項１に記載するように、ワイヤレス通信ネットワークで端末依存情報を自動的に管理するための方法により達成される。この方法は次のステップ、つまり
‐加入者が現在使用している端末の固有のアイデンティティを検出するステップと、
‐検出された端末の型用に情報を適応させるステップと、
‐前記端末に適応された情報を提示するステップと、を含む。
【００１５】
特定の型の端末に適応されるようにサービスを手動設定する必要性は、この方法により低減または排除される。本発明のさらなる利点は、使用する端末の型をデータベースに登録することができることである。このデータベースは、特定の型の端末のユーザ用に調整された情報のために使用することができる。
【００１６】
該方法のさらなる利点は、加入者によって使用される端末の交換中に外部サービスのために刺激を発生することが可能になることである。
【００１７】
さらに、この方法は、加入者が端末を交換するときに、サービスプロファイルの自動移送を可能にする。
【００１８】
この文脈におけるさらなる利点は、端末の型を検出するステップが、信号リンクを監視し捜査することを介して行われる場合に得られる。
【００１９】
この文脈におけるさらなる利点は、端末の型を検出するステップが、ＭＳＩＳＤＮ‐ＩＭＳＩマッピングを検出するために信号リンクを監視し捜査することを介して行われる場合に得られる。
【００２０】
この文脈におけるさらなる利点は、この方法が、
‐ＳＭＳ／ＵＳＳＤまたは会話を介してユーザがサービスを要求するステップと、
‐加入者のために、ＭＳＣとＢＳＣ／ＲＮＣとの間、またはＳＧＳＮとＢＳＣ／ＲＮＣとの間でＩＭＥＩ情報を交換するステップと、
‐信号リンクを捜査することによって、加入者に関する現在のＩＭＥＩ情報を収集するステップと、
‐アプリケーションサーバが要求を検出するステップと、
‐アプリケーションサーバがコンフィギュレーションサーバから端末の特性を要求するステップと、
‐コンフィギュレーションサーバが、局所的に格納された情報を読み出すかまたはＨＬＲに要求するかのいずれかによって、固有の加入者アイデンティティを発見するステップと、
‐コンフィギュレーションサーバが加入者のための格納されたＩＭＥＩを読み出すステップと、
‐コンフィギュレーションサーバがＩＭＥＩを特性に再マッピングするステップと、
‐コンフィギュレーションサーバが特性をアプリケーションサーバに返すステップと、
‐ＳＭＳまたは他の情報チャネルを介して端末依存設定を端末に送信するステップと、をも含む場合に得られる。
【００２１】
一実施形態では、さらなる利点は、該方法がさらに、
‐ユーザがＳＭＳ／ＵＳＳＤまたは会話を介してサービスを要求するステップと、
‐アプリケーションサーバが要求を検出するステップと、
‐アプリケーションサーバが特性を要求するステップと、
‐コンフィギュレーションサーバが変形ＡＴＩを介してまたはＨＬＲを含む新しい操作を介してＩＭＥＩを要求するステップと、
‐ＨＬＲがＭＳＣ／ＳＧＳＮを介してＩＭＥＩを端末に要求するステップと、
‐コンフィギュレーションサーバがＩＭＥＩを特性に再マッピングするステップと、
‐コンフィギュレーションサーバが特性をアプリケーションサーバに返すステップと、
‐ＳＭＳまたは他の情報チャネルを介して端末依存設定を端末に送信するステップと、を含む場合に得られる。
【００２２】
この文脈においてさらなる利点は、ＨＬＲが端末からＩＭＥＩを要求するステップが二つのステップ、すなわち
‐ＨＬＲがＭＳＣ／ＳＧＳＮに加入者のＩＭＥＩを要求するステップと、
‐ＭＳＣ／ＳＧＳＮが端末にＢＳＣを介して加入者のＩＭＥＩを要求するステップと、で行われる場合に得られる。
【００２３】
一実施形態では、さらなる利点は、該方法が、
‐アプリケーションサーバがコンフィギュレーションサーバから特性を要求するステップと、
‐コンフィギュレーションサーバが、局所的に格納された情報を読み出すかまたはＨＬＲに照会するかのいずれかによって、固有の加入者アイデンティティを発見するステップと、
‐加入者の格納されたＩＭＥＩをコンフィギュレーションサーバが読み出すステップと、
‐ＩＭＥＩ情報が局所データベースに存在しない場合、コンフィギュレーションサーバが連携コンフィギュレーションサーバに接触し、それによって関連する連携コンフィギュレーションサーバがＨＬＲへの要求によって決定されるステップと、
‐コンフィギュレーションサーバがＩＭＥＩを特性に再マッピングするステップと、
‐アプリケーションサーバが端末独立情報を端末依存情報に変換するステップと、
‐端末依存情報を端末に送達するステップと、をも含む場合に得られる。
【００２４】
この文脈において、さらなる利点は、変換ステップが特性の属性に基づいて行われる場合に得られる。
【００２５】
本発明の第二の意図は、少なくとも一つのデジタルコンピュータの内部メモリに直接ロードすることができる、少なくとも一つのソフトウェア製品を達成することである。少なくとも一つのそのようなソフトウェア製品は、本発明に係る方法によるステップを実行するためにソフトウェアモジュールを含み、単数または複数の前記製品は、少なくとも一つの前記コンピュータのようなもので実行される。
【００２６】
これらを特定の型の端末に適したものにするためにサービスを手動設定する必要性は、この製品により低減または排除される。
【００２７】
ソフトウェア製品のさらなる利点は、使用する端末の型をデータベースに登録することができることである。このデータベースは、特定の型の端末のユーザ用に調整された情報のために使用することができる。
【００２８】
ソフトウェア製品のさらなる利点は、加入者が端末を交換するときに、外部サービスに刺激を発生することが可能になることである。
【００２９】
さらに、ソフトウェア製品は、加入者が端末を交換するときに、サービスプロファイルの自動移送を行うことを可能にする。
【００３０】
この明細書で用語「を含む／含み」を使用する場合、それは特定の性質、ステップ、または構成要素の存在を意味すると解釈すべきであるが、それは一つまたはそれ以上のさらなる特性、部品、ステップ、構成要素、またはこれらの群の存在を排除するものではない。
【００３１】
以下、本発明の実施形態を添付図面を参照しながら説明する。
【発明を実施するための最良の形態】
【００３２】
本発明の理解を容易にするために、この明細書で使用される略語のリストを以下に掲げる。
（略語）
ＨＬＲ    ホームロケーションレジスタ
ＭＳＣ    移動体サービス交換センタ
ＳＧＳＮ  サービスＧＰＲＳサポートノード
ＢＳＣ    基地局制御装置
ＲＮＣ    無線ネットワーク制御装置
ＳＭＳ    ショートメッセージサービス
ＵＳＳＤ  非構造化補助サービスデータ
ＩＭＥＩ  国際移動装置アイデンティティ
ＭＳＩＳＤＮ  移動体加入者国際加入者ディレクトリ番号
ＩＭＳＩ    国際移動体加入者アイデンティティ
ＳＩＭ    加入者アイデンティティモジュール
ＳＩＭ‐ＡＴ    加入者アイデンティティモジュール‐アプリケーションツールキット
ＵＭＴＳ    ユニバーサル携帯電話システム
ＳＭＳＣ  ショートメッセージサービスセンタ
ＶＬＲ    ビジタロケーションレジスタ
【００３３】
図１は、本発明に係る方法の実行に使用できるワイヤレス通信ネットワーク１０を示す。図１で移動端末は参照番号１２で示される。ワイヤレス通信ネットワーク１０はＳＧＳＮノード１４、ＳＧＳＮノード１４に接続されたＢＳＣ／ＲＮＣセンタ１８、およびＢＳＣ／ＲＮＣセンタ１８に接続されたＭＳＣセンタ１６を含む。通信ネットワーク１０はさらに、ＭＳＣセンタ１６に接続されたＳＭＳＣセンタ２６を含む。通信ネットワーク１０はさらにＳＭＳＣセンタ２６に接続されたアプリケーションサーバ２４、およびＭＳＣセンタ１６およびアプリケーションサーバ２４に接続された電話交換機２２を含む。通信ネットワーク１０はさらに、アプリケーションサーバ２４に接続されたコンフィギュレーションサーバ２０を含む。通信ネットワークはさらに、アプリケーションサーバ２４およびＳＧＳＮノード１４に接続されたＨＬＲデータベース３０を含む。最後にネットワーク１０は、信号リンクを監視し捜査するために、二つのプローブ２８1、２８2を含む。これらのプローブ２８1、２８2はコンフィギュレーションサーバ２０に接続される。
【００３４】
幾つかのコンフィギュレーションサーバ２０を互いに接続することができるが、これは図１には示されていない。アプリケーションがその要求を行ったセンタに加入者に関する情報が存在しない場合、ＡＴＩの助けを借りて正しいコンフィギュレーションサーバ２０を見つけることができる。新しいプロトコルを使用して、一つのコンフィギュレーションサーバから別のコンフィギュレーションサーバに要求が行われる。
【００３５】
図２は、図１に示した通信ネットワークの第二実施形態のブロック図を示す。通信ネットワーク４０で同様の構成部品は、図１で使用したのと同じ参照番号を使用して示されている。これらの構成要素についてはこれ以上記載しない。このネットワーク４０はさらに、アプリケーションサーバ２４およびＳＧＳＮノード１４に接続されたＨＬＲデータベース３０を含む。図２から明らかになるように、本実施形態にはプローブが含まれない。
【００３６】
図１および図２に示したノードの幾つかは随意であり、本発明に係る方法を実行するために必須ではないことを指摘しておく。必須のノードはＢＳＣ／ＲＮＣセンタ１８、ＭＳＣセンタ１６、およびＨＬＲデータベース３０である。
【００３７】
図３は、ワイヤレスネットワークで端末依存情報を自動的に管理するための方法の流れ図を示す。この方法はブロック５０で開始される。該方法は次いで、ブロック５２を介して、加入者が現在使用している端末の型を検出するステップに続く。該方法は次いで、ブロック５４で、検出された端末の型に情報を適応させるステップに続く。次いで該方法は、ブロック５６で、適応された情報を前記端末に提示するステップに続く。該方法はブロック５８で終了する。
【００３８】
図４は、図３に示した方法の第一変形に含まれるさらなるステップの流れ図を示す。該方法はブロック６０で開始される。該方法は次いで、ブロック６２で、ユーザがＳＭＳ／ＵＳＳＤまたは会話を介してサービスを要求するステップに続く。この方法は次いで、ブロック６４で、加入者のために、ＭＳＣとＢＳＣ／ＲＮＣとの間、またはＳＧＳＮとＢＳＣ／ＲＮＣとの間で、ＩＭＥＩ情報を交換するステップに続く。該方法は次いで、ブロック６６で、信号リンクを操作することを通して加入者に関する現在のＩＭＥＩ情報を収集するステップに続く。次いで該方法は、ブロック６８で、アプリケーションサーバが要求を検出するステップに続く。次いで該方法は、ブロック７０で、アプリケーションサーバがコンフィギュレーションサーバから端末の特性を要求するステップに続く。次いで該方法は、ブロック７１で、コンフィギュレーションサーバが、局所的に格納された情報を読み出すか、あるいはＨＬＲに要求するかのいずれかによって、固有の加入者アイデンティティを発見するステップに続く。次いで該方法は、ブロック７２で、コンフィギュレーションサーバが加入者のための格納されたＩＭＥＩを読み出すステップに続く。次いで該方法は、ブロック７３で、コンフィギュレーションサーバがＩＭＥＩを特性に再マッピングするステップに続く。次いで該方法は、ブロック７４で、コンフィギュレーションサーバが特性をアプリケーションサーバに返すステップに続く。次いで該方法は、ブロック７６で、ＳＭＳまたは別の情報チャネルを介して、端末依存設定を端末に送信するステップに続く。次いで該方法はブロック７８で終了する。
【００３９】
図５は、図３に示した方法の第二変形に含まれるさらなるステップの流れ図を示す。該方法はブロック８０で開始される。該方法は次いで、ブロック８２で、ユーザがＳＭＳ／ＵＳＳＤまたは会話を介してサービスを要求するステップに続く。次いで該方法は、ブロック８４で、アプリケーションサーバが要求を検出するステップに続く。次いで該方法は、ブロック８６で、アプリケーションサーバが特性を要求するステップに続く。次いで該方法は、ブロック８８で、コンフィギュレーションサーバが、変形ＡＴＩを介して、またはＨＬＲを含む新しい操作を介して、ＩＭＥＩを要求するステップに続く。次いで該方法は、ブロック９０で、ＨＬＲがＭＳＣ／ＳＧＳＮを介して端末からＩＭＥＩを要求するステップに続く。次いで該方法は、ブロック９２で、コンフィギュレーションサーバがＩＭＥＩを特性に再マッピングするステップに続く。次いで該方法は、ブロック９４で、コンフィギュレーションサーバがアプリケーションサーバに特性を返すステップに続く。次いで該方法は、ブロック９６で、ＳＭＳまたは別の情報チャネルを介して端末に端末依存設定を送信するステップに続く。次いで該方法はブロック９８で終了する。
【００４０】
図６は、図３に示した方法の第三変形に含まれるさらなるステップの流れ図を示す。該方法はブロック１１０で開始される。該方法は次いで、ブロック１１１で、アプリケーションがコンフィギュレーションサーバから特性を要求するステップに続く。次いで該方法は、ブロック１１２で、コンフィギュレーションサーバが、局所的に格納された情報を読み出すか、あるいはＨＬＲに要求するかのいずれかによって、固有の加入者アイデンティティを発見するステップに続く。次いで該方法は、ブロック１１４で、コンフィギュレーションサーバが加入者のための格納されたＩＭＥＩを読み出すステップに続く。次いで該方法は、ブロック１１５で、局所データベースにＩＭＥＩ情報が存在しない場合、コンフィギュレーションサーバが連携コンフィギュレーションサーバに連絡し、それによってＨＬＲへの要求を通して関連する連携コンフィギュレーションサーバが決定されるステップに続く。次いで該方法は、ブロック１１６で、コンフィギュレーションサーバがＩＭＥＩを特性に再マッピングするステップに続く。次いで該方法は、ブロック１１８で、アプリケーションサーバが端末独立情報を端末依存情報に変換するステップに続く。次いで該方法は、ブロック１２０で、端末依存情報を端末に送達するステップに続く。該方法はブロック１２２で終了する。
【００４１】
図７は、本発明に係る幾つかのソフトウェア製品の略図を示す。合計でｎ個の異なるソフトウェア製品１０２1、．．．、１０２nが図７に示されている。ここでｎは整数である。ソフトウェア製品１０２1、．．．、１０２nは少なくとも一つのデジタルコンピュータ１００1、．．．、１００nの内部メモリに直接ロードすることができる。図７はまた、合計でｎ個のコンピュータをも示す。各ソフトウェア製品１０２1、．．．、１０２nは、製品１０２1、．．．、１０２nがコンピュータ１００1、．．．、１００n上で実行されるときに、図３に係るステップの一部または全部を実行するために、ソフトウェアモジュールを含む。ソフトウェア製品１０２1、．．．、１０２nは例えばディスケット、ＲＡＭディスク、磁気テープ、光磁気ディスク、またはいずれかの他の適切な製品の形態にすることができる。
【００４２】
本発明は上記の実施形態に限定されない。請求の範囲内で多くの様々な変形が可能であることは明らかであろう。
【図面の簡単な説明】
【００４３】
【図１】本発明に係る方法を実行するために使用できるワイヤレス通信ネットワークのブロック図である。
【図２】本発明に係る方法を実行するために使用できるワイヤレス通信ネットワークの第二実施形態のブロック図である。
【図３】本発明に係る端末依存情報を自動的に管理するための方法の第一実施形態の流れ図である。
【図４】本発明に係る方法の第二実施形態の流れ図である。
【図５】本発明に係る方法の第三実施形態の流れ図である。
【図６】本発明に係る方法の第四実施形態の流れ図である。
【図７】本発明に係る幾つかのソフトウェア製品の略図である。
【図１】
2005531253.tif 000003
【図２】
2005531253.tif 000004
【図３】
2005531253.tif 000005
【図４】
2005531253.tif 000006
【図５】
2005531253.tif 000007
【図６】
2005531253.tif 000008
【図７】
2005531253.tif 000009
【国際調査報告】
2005531253.tif 000010
2005531253.tif 000011